【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
観察する角度に応じて輝点の位置が変化する特性を表現するための構造体を、記録基材上に形成するためのデータを生成する画像処理装置であって、
前記特性に関する情報に基づいて、第１の傾斜角度が対応付けられた第１の構造体と、前記第１の傾斜角度とは異なる第２の傾斜角度が対応付けられた第２の構造体とを少なくとも含む、２種類以上の前記構造体それぞれの配置を特定する配置データを生成する生成手段を有することを特徴とする画像処理装置。
【請求項２】
１つの輝点は、前記２種類以上の構造体のうちいずれか１つの構造体に対応することを特徴とする請求項１に記載の画像処理装置。
【請求項３】
前記配置データは、前記記録基材上の１つの構造体が形成される領域ごとに、前記２種類以上の構造体のうちどの構造体が形成されるかを特定するデータであることを特徴とする請求項１に記載の画像処理装置。
【請求項４】
前記情報は、前記輝点の大きさ、数、強度のうち少なくともいずれか１つを示すことを特徴とする請求項１から３のいずれか１項に記載の画像処理装置。
【請求項５】
前記生成手段は、前記第１の構造体と、前記第２の構造体それぞれが、所定の領域において分散して配置される配置を特定する前記配置データを生成することを特徴とする請求項１または４に記載の画像処理装置。
【請求項６】
前記構造体は、記録材によるドットを積層することにより形成されるものであって、
前記生成手段は、前記第１の構造体を形成する各層のドットの数の差と、前記第２の構造体を形成する各層のドットの数の差とが異なるように、前記第１の構造体と、前記第２の構造体それぞれが配置される配置を特定する配置データを生成することを特徴とする請求項１から５のいずれか１項に記載の画像処理装置。
【請求項７】
前記情報は、第１の角度から観察する際の輝点の数を示す第１の情報と、前記第１の角度とは異なる第２の角度から観察する際の輝点の数を示す第２の情報とからなり、
前記生成手段は、前記第１の角度に対応する前記第１の構造体の数を、前記第１の情報に基づいて決定し、前記第２の角度に対応する前記第２の構造体の数を、前記第２の情報に基づいて決定することを特徴とする請求項１から６のいずれか１項に記載の画像処理装置。
【請求項８】
前記生成手段は、前記情報に基づいて前記第１の構造体および前記第２の構造体の底面積を決定し、同じ前記底面積を有する前記第１の構造体と、前記第２の構造体それぞれが所定の比率で配置される配置を特定する配置データを生成することを特徴とする請求項１から７のいずれか１項に記載の画像処理装置。
【請求項９】
前記生成手段は、前記底面積に基づいて前記第１の構造体および前記第２の構造体の傾斜面が向く複数の方位を決定し、前記複数の方位のうち少なくともいずれか１つが対応付けられた前記第１の構造体と、前記第２の構造体それぞれの配置を特定する配置データを生成することを特徴とする請求項８に記載の画像処理装置。
【請求項１０】
前記方位のうち２以上の方位が対応付けられた前記構造体の形状を、当該方位の組み合わせに応じて再構成する再構成手段をさらに有することを特徴とする請求項９に記載の画像処理装置。
【請求項１１】
前記構造体は、記録材によるドットを積層することにより形成されるものであって、
前記再構成手段は、前記第１の構造体および前記第２の構造体を形成する各層のドットの配置を変更することにより、前記第１の構造体および前記第２の構造体の形状を再構成することを特徴とする請求項１０に記載の画像処理装置。
【請求項１２】
前記生成手段は、前記情報に基づいて前記第１の構造体および前記第２の構造体の傾斜面の面積を決定し、同じ前記傾斜面の面積を有する前記第１の構造体と、前記第２の構造体それぞれが所定の比率で配置される配置を特定する前記配置データを生成することを特徴とする請求項１から７のいずれか１項に記載の画像処理装置。
【請求項１３】
前記傾斜面の面積は、前記構造体を形成する前記記録基材の単位面積あたりの反射光量に応じて決定されることを特徴とする請求項１２に記載の画像処理装置。
【請求項１４】
前記情報は、前記輝点の強度であり、
前記輝点の強度に相当する反射光を放つ前記傾斜面を有する前記構造体を形成できない場合、前記輝点の強度とは異なる値の輝点の強度の入力を促すＵＩを表示する表示手段をさらに有することを特徴とする請求項１２または１３に記載の画像処理装置。
【請求項１５】
前記情報は、前記輝点の強度であり、
前記輝点の強度に相当する反射光を放つ前記傾斜面を有する前記構造体を形成できない場合、前記記録基材とは異なる種類の記録基材を指定する入力を促すＵＩを表示する表示手段をさらに有することを特徴とする請求項１２から１４のいずれか１項に記載の画像処理装置。
【請求項１６】
前記情報は、前記輝点の強度であり、
前記輝点の強度に相当する反射光を放つ前記傾斜面を有する前記構造体を形成できない場合、前記構造体と、前記構造体の周辺領域と、における色または明るさのうち少なくとも１つのコントラストを補正する補正手段をさらに有することを特徴とする請求項１２から１５のいずれか１項に記載の画像処理装置。
【請求項１７】
輝点の特性に関する情報を取得する取得手段と、
取得された複数種類の前記情報のうち、いずれかを優先するかを決定する優先度決定手段と、
をさらに有することを特徴とする請求項１から１６のいずれか１項に記載の画像処理装置。
【請求項１８】
画像から前記情報を抽出する抽出手段をさらに有することを特徴とする請求項１から１７のいずれか１項に記載の画像処理装置。
【請求項１９】
前記抽出手段は、前記画像を２値化処理した２値画像を生成し、前記２値画像に含まれる所定の画素値を有する領域から、前記情報を抽出することを特徴とする請求項１８に記載の画像処理装置。
【請求項２０】
モードの選択を受け付ける選択受付手段をさらに有し、
前記生成手段は、前記情報に基づき、選択された前記モードごとに異なる、前記構造体の底面積、前記構造体の傾斜面の面積、前記構造体に対応付けられた傾斜角度の分散度、前記構造体に対応付けられた傾斜角度の範囲のうち少なくともいずれか１つを決定することを特徴とする請求項１から１９のいずれか１項に記載の画像処理装置。
【請求項２１】
前記配置データに基づいて、前記構造体を前記記録基材上に形成させる形成制御手段をさらに有することを特徴とする請求項１から２０のいずれか１項に記載の画像処理装置。
【請求項２２】
前記形成制御手段は、前記構造体を透明の記録材によって形成させることを特徴とする請求項２１に記載の画像処理装置。
【請求項２３】
前記形成制御手段は、前記記録基材上にカラー画像を形成させ、形成させた前記カラー画像の上層にさらに前記構造体を形成させることを特徴とする請求項２１または２２に記載の画像処理装置。
【請求項２４】
前記形成制御手段は、前記構造体にさらに光輝材を含有する金属色インクを塗布させることを特徴とする請求項２１から２３のいずれか１項に記載の画像処理装置。
【請求項２５】
前記形成制御手段は、さらに前記構造体にぬれ性の高いＵＶ硬化型インクを付与させることを特徴とする請求項２１から２４のいずれか１項に記載の画像処理装置。
【請求項２６】
観察する角度に応じて輝点の位置が変化する特性を表現するための構造体を、記録基材上に形成するためのデータを生成する画像処理方法であって、
前記特性に関する情報に基づいて、第１の傾斜角度が対応付けられた第１の構造体と、前記第１の傾斜角度とは異なる第２の傾斜角度が対応付けられた第２の構造体とを少なくとも含む、２種類以上の前記構造体それぞれの配置を特定する配置データを生成する生成ステップを有することを特徴とする画像処理方法。
【請求項２７】
コンピュータを、請求項１から請求項２５のいずれか１項に記載の画像処理装置の各手段として機能させるためのプログラム。
【手続補正２】
【補正対象書類名】明細書
【補正対象項目名】０００７
【補正方法】変更
【補正の内容】
【０００７】
本発明の画像処理装置は、観察する角度に応じて輝点の位置が変化する特性を表現するための構造体を、記録基材上に形成するためのデータを生成する画像処理装置であって、前記特性に関する情報に基づいて、第１の傾斜角度が対応付けられた第１の構造体と、前記第１の傾斜角度とは異なる第２の傾斜角度が対応付けられた第２の構造体とを少なくとも含む、２種類以上の前記構造体それぞれの配置を特定する配置データを生成する生成手段を有することを特徴とする。